【事件の表示】
　特願２０１９−１０５８７３号「伸縮自在の誘導灯」拒絶査定不服審判事件〔令和３年１月２１日出願公開、特開２０２１−７０６７号、請求項の数（１３）〕について、次のとおり審決する。
【結　論】
　原査定を取り消す。
　本願の発明は、特許すべきものとする。
【理　由】
第１　手続の経緯
　本願は、令和１年６月６日の出願であって、令和２年２月７日付けで拒絶理由が通知され、同年４月７日に意見書及び手続補正書が提出され、同年６月１２日付けで拒絶理由が通知され、同年７月１６日に意見書が提出されたが、同年８月３１日付けで拒絶査定（以下「原査定」という。）され、これに対して、同年１２月１日に拒絶査定不服審判の請求がされると同時に手続補正書が提出されたものである。
第２　原査定の概要
　原査定の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者（以下「当業者」ともいう。）が容易に発明をすることができたものであるから、特許法第２９条第２項の規定により特許を受けることができない。
・請求項　　　１
・引用文献等　１−３、６−７
・請求項　　　２−１２
・引用文献等　１−４、６−７
・請求項　　　１３
・引用文献等　１−７
　［刊行物等］
１．特開昭６３−７６２０１号公報
２．特開平１１−８６６０１号公報
３．特開２００４−２５３３４５号公報
４．特開２０００−１２３６０３号公報
５．特表２０１１−５２３１９２号公報
６．特開２００１−１０１９０１号公報
７．特開２００１−１８４９０１号公報
第３　本願発明
　本願の請求項１〜１３に係る発明（以下それぞれ「本願発明１」〜「本願発明１３」という。）は、令和２年１２月１日付けの手続補正により補正された特許請求の範囲の請求項１〜１３に記載された事項により特定される次のとおりの発明である。
「　【請求項１】
　把持部を兼ねた光源部と、前記光源部からの光が連通するように前記光源部に装着される発光部とを有してなる誘導灯であって、
　前記発光部は、長尺かつ中空の錘台形状を有する複数の発光管の組み合わせからなり、前記発光管のテーパー構造によって、複数の前記発光管の上段側発光管と下段側発光管とが相互に入れ子状に収容されて収縮し、かつ、伸張可能に連結されるように構成され、
　伸張時においては、前記上段側発光管の底部と前記下段側発光管の頂部との嵌合によって連結されることによって、発光部の伸張構造が保持されるようにしてなり、
　前記光源部は、パルス状の光照射を行うことができ、その際のパルス周波数が４０〜１００Ｈｚであり、かつ、デューティ比が１５〜６０％であることを特徴とする、発光部が軸線方向に伸縮自在の誘導灯。
　　【請求項２】
　前記発光管が、円錐台形状または角錐台形状を有する、請求項１に記載の誘導灯。
　　【請求項３】
　前記角錐台形状が三角錐台である、請求項２に記載の誘導灯。
　　【請求項４】
　前記発光管が光透過性材料からなる、請求項１〜３のいずれか一項に記載の誘導灯。
　　【請求項５】
　前記光源部がＬＥＤ光源を含んでなる、請求項１〜４のいずれか一項に記載の誘導灯。
　　【請求項６】
　前記発光管が、水抜き孔を有する、請求項１〜５のいずれか一項に記載の誘導灯。
　　【請求項７】
　前記発光管の数が、２〜５本である、請求項１〜６のいずれか一項に記載の誘導灯。
　　【請求項８】
　前記発光管の数が、２〜３本である、請求項１〜６のいずれか一項に記載の誘導灯。
　　【請求項９】
　前記発光管の錘台形状の底面と側面のなす角度が、８９．５°〜８９°である、請求項１〜８のいずれか一項に記載の誘導灯。
　　【請求項１０】
　前記発光管の錘台形状の底面と側面のなす角度が、８９．８°〜８８°である、請求項１〜８のいずれか一項に記載の誘導灯。
　　【請求項１１】
　前記発光管の光透過性材料が、３５％〜９５％の全光透過率を有する、請求項４に記載の誘導灯。
　　【請求項１２】
　前記発光管の光透過性材料が、５０％〜９０％の全光透過率を有する、請求項４に記載の誘導灯。
　　【請求項１３】
　前記発光管の内壁面が光散乱するように処理されているか、または前記発光管中に光散乱物質を含有する、請求項１〜１２のいずれか一項に記載の誘導灯。」
第４　引用文献、引用発明等
１　引用文献１について
（１）引用文献１に記載された事項
　原査定の拒絶の理由に引用された引用文献１には、図面とともに次の事項が記載されている（下線は当審が付した。以下同様である。）。
（１ａ）
「２．特許請求の範囲
(１)　
懐中電灯に取り付けるための折りたたみ可能な棒状投光器において、複数個の重なり合う半透明の円筒形の管部分からなる入れ子管組立体を備え、前記管部分の最も外側の管部分は前記懐中電灯の投光端部に取外すことができるように装着可能であり、さらに、前記入れ子管組立体を引つ込めたときに該入れ子管組立体を保持するために前記の最も外側の管部分に枢着された棒を備えた
折りたたみ可能な棒状投光器
（１ｂ）
「
本発明は、レクリエーシヨン
交通整理のために
使用することができ
（１ｃ）
「
本発明によれば、棒状投光器は、懐中電灯の電球の端部に取り付けるように設計された入れ子管組立体からなり、
（１ｄ）
「発明の詳細な説明
　
第１図に示す実施例は、投光端部１２および後端部１３を有する懐中電灯１１を含む。
電球を装着した懐中電灯
いずれの型式にしても、懐中電灯を便利に携帯することができる。
（１ｅ）
「
入れ子管組立体２０
懐中電灯１１
投光端部１２
２個またはそれ以上の重なり合う管部分２１
管部分２１
入れ子管組立体２０を伸張したときの分離を阻止するために僅かにテーパがつけられている
・・・
　
最も外側の管部分２２
枢動棒、すなわち、枢動ループ２５
枢動棒２５
（１ｆ）
　図１、図２は、以下のとおりである。
（２）引用文献１に記載された発明
ア
　摘記（１ａ）の「
複数個の重なり合う半透明の円筒形の管部分
前記管部分の最も外側の管部分
　このことと、図１、図２を参照すると、「最も外側の管部分２２」も、「管部分２１」と同様に、「管部分２１」が備える「入れ子管組立体２０を伸張したときの分離を阻止するために僅かにテーパがつけられている」構成を有していることが、明らかである。
イ
　摘記（１ａ）の「最も外側の管部分に枢着された棒」は、摘記（１ｅ）の「枢動棒２５」を意味していることが明らかであるから、「最も外側の管部分に枢着された棒２５」として特定できる。
ウ
　摘記（１ａ）の「懐中電灯１１に取り付けるための折りたたみ可能な棒状投光器」及び「折りたたみ可能な棒状投光器」は、いずれも、棒状投光器を特定しているものであるが、摘記（１ｅ）の「入れ子管宮管組立体２０は、懐中電灯１１の投光端部１２に取り付けられるように示してある。」という記載及び図１、図２の記載等を参照すると、いずれも、懐中電灯１１と棒状投光器との一体物、すなわち、「懐中電灯１１に取り付けられた折りたたみ可能な棒状投光器」として特定できる。
エ
　上記ア〜ウ、摘記（１ａ）〜（１ｅ）及び図１、図２（摘記（１ｆ）参照）から、引用文献１には、次の発明（以下「引用発明」という。）が記載されていると認められる。
　[引用発明]
「懐中電灯１１に取り付けられた折りたたみ可能な棒状投光器において、複数個の重なり合う、入れ子管組立体２０を伸張したときの分離を阻止するために僅かにテーパがつけられている、半透明の円筒形の管部分２１，２２からなる、入れ子管組立体２０を備え、前記管部分２１，２２の最も外側の管部分２２は前記懐中電灯１１の投光端部１２に取外すことができるように装着可能であり、さらに、前記入れ子管組立体２０を引っ込めたときに該入れ子管組立体２０を保持するために前記の最も外側の管部分２２に枢着された棒１９を備えた、交通整理のために使用することができる、懐中電灯１１に取り付けられた折りたたみ可能な棒状投光器。」
２　引用文献２について
　原査定の拒絶の理由に引用された引用文献２には、図面とともに次の事項が記載されている。
（２ａ）
「【０００１】
【発明の属する技術分野】
本発明は、
合図灯に関するものであり、
一つの光源を利用し、点滅回路をパルス点灯とすることによって小型且つ軽量で長寿命の合図灯を提供するものである。
・・・
【００１５】詳細には、小型でスリムにするために、導光手段を用い一つの導光手段に一つのＬＥＤだけで透光筒部を点灯させており、特に
点灯時に、パルス点灯させた残像効果を利用しているので、低消費電力化を実現している。
（２ｂ）
「【００１７】
【発明の実施の形態】図１に示す本発明の第一実施例の合図灯は、円筒状の本体１で形成されており、透光筒部１８と握持部１９とにわかれている。握持部１９には、握持カバ−１４が取り付けられている。
【００１８】本体１の先端には、トップキャップ１１が取り付けられている。トップキャップ１１は、内側中央に円形の凹部２０が形成されており、透光筒部１８に内在されている透明な導光棒１２の端部が固定されている。また、該透光筒部１８の内周面には、プリズムシ−ト１３が設けられている
【００１９】該透明な導光棒１２のもう片方の端部は、ＬＥＤ１６と共にＬＥＤホルダ−１０によって固定されている。ＬＥＤ１６は、導光棒１２の同軸上に透光筒部先端方向に向かって配置されている。
【００２０】前記導光棒１２は、複数の溝が部分的に全周にカットされているＶ字溝群２３が形成されている。ＬＥＤ１６の光は、導光棒１２の端面から入射し、図１に示すような光路で、棒の表面からは、臨界角を超えて全反射しながら進み、環状のＶ字溝群２３内で屈折、反射及び透過され棒円周上に発光視認させながら先端まで届いている。
【００２１】ＬＥＤホルダ−１０は、小径円筒部からなるＬＥＤ固定部２１と大径円筒部からなる導光棒固定部２２で形成されている。
【００２２】６は、スライドスイッチである。３は、スイッチ接触ケ−スでありスイッチ端子７と電池端子を接合するものである。４は、電池ケ−ス押さえ板であり電池ケ−ス５がぬけないように、しかっり固定するためのものである。２は、蓋であり、電池ケ−ス５に単三電池を収納後にスイッチ接触ケ−ス３と電池押さえ板４をしっかり圧接固定している。該蓋２には、釣りひも１５が取付けられている。
【００２３】９は、点滅回路部でありプリント基板端部にＬＥＤホルダ１０が、ＬＥＤ１６と共に配置されている。点滅回路部９の電池用スプリング８が電池ケ−ス５と共に設けられ、単三電池２個が収納されている。
【００２４】
点滅回路９は、図３に示すようにパルス点灯の時間Ｔ１がＯＮ状態、Ｔ２がＯＦＦ状態であり、且つＯＮ状態のＴ１は更にパルスにより点滅を行なっており、残像現象を利用してＴ１は点灯を継続しているように見せている。この構成により単三電池を使用した場合の電池の電力消費を小さくしている。
【００２５】次に図２に示す本発明の第二実施例の合図灯について説明する。
円筒状の透光筒部１８と握持部１９とそれらを連接する連接部２４とから形成されている合図灯である。
【００２６】合図灯の内部構成は、実施例一と略同様である。異なる点は、
連接部２４を設けて、連接部２４のなかに点滅回路部９を収納固定し、更に、連接部２４にプッシュスイッチ部２５を設けた点である。
（２ｃ）
「【００３５】
本発明の合図灯では、高輝度ＬＥＤと導光棒の採用により視認性も良好で、単三電池を使用しても電池寿命を十分満足できる合図灯を提供できるものである。
（２ｄ）
　図２、図３は、以下のとおりである。
３　引用文献３について
　原査定の拒絶の理由に引用された引用文献３には、図面とともに次の事項が記載されている。
（３ａ）
「【０００１】
【発明の属する技術分野】
本発明は、
揺動などユーザの操作によって発光色が変化する機能を備えた発光装置に関するもの
【０００２】
【従来の技術】
従来より、
コンサートやパレード等のイベントにおいて
ペン形状のライトを発光させて揺動させること
・・・
【０００７】
本発明はこのような状況に鑑みてなされたものであって、その目的は、
簡単な構成でありながら、静止状態と揺動状態での発光色が変化する発光装置を提供すること
（３ｂ）
「【００１１】
図２は、第１の実施の形態で、前述のパルス制御部５からのパルスをドライバ制御部４で変調した一例を示すタイミングチャートである。図２において、赤色ＬＥＤ１Ｒ、緑色ＬＥＤ１Ｇ、青色ＬＥＤ１Ｂは、それぞれ同一の周波数（周期）、同一のパルス幅、デューティ比で、位相が異なるパルスにより発光駆動されている。このように駆動されることにより、ある瞬間にはいずれかのＬＥＤのうちのいずれかが点灯状態で他の２つが消灯状態になっている。このパルスを高周波で駆動すると、発光装置を静止させた状態では、残像現象によりみかけ上は白色点灯されて観察することができる。一方、発光装置を揺動させると、空間での位置が刻々変化するため、残像としては赤緑青（ＲＧＢ）の原色が順次連続的に観測されることになる。したがって、
みかけ上は赤緑青（ＲＧＢ）が連続的に変化していくようにみえ、非常に楽しい発光を得ることができる。
・・・
【００１３】
図４は、第３の実施の形態で、前述のパルス制御部５からのパルスをドライバ制御部４で変調した他の例を示すタイミングチャートである。図４において、緑色ＬＥＤ１Ｇ、青色ＬＥＤ１Ｂは、図２の場合と同様にそれぞれ同一の周波数（周期）、同一のパルス幅、デューティ比で、位相が異なるパルスにより発光駆動されている。一方、赤色ＬＥＤ１Ｒは、緑色ＬＥＤ１Ｇ及び青色ＬＥＤ１Ｂと、同一の周波数であるが、パルス幅を大きくデューティ比を変調したパルスで駆動される。このように駆動することにより、図２の場合とは異なり、赤色ＬＥＤ１Ｒ、赤色ＬＥＤ１Ｒと緑色ＬＥＤ１Ｇ、青色ＬＥＤ１Ｂという順に点灯され、揺動状態ではみかけ上の残像の色を変化させることができ、より楽しい発光を得ることができる。
【００１４】
もちろん、パルスのパターンはこれらの例に限られるものではなく、周波数（周期）、パルス幅、デューティ比、位相等を適宜組合せて所望の発光状態となるように、設定することが可能である。
【００１５】
図５は、第４の実施の形態で、前述のパルス制御部５からのパルスをドライバ制御部４で変調した他の例を示すタイミングチャートである。図５において、
緑色ＬＥＤ１Ｇ、青色ＬＥＤ１Ｂは、赤色ＬＥＤ１Ｒは、周期は同一で
位相はずらせてあり
【００１６】
この期間においては時間とともに赤色ＬＥＤ１Ｒと青色ＬＥＤに印加される駆動信号が変化するので全体としての発光の色相が順次青色から赤色へ変化し、細かい色相の変化を達成することができる。併せて、緑色ＬＥＤ１Ｇの発光タイミングと印加信号のレベルも変化させていくことで、中間色を含めたさまざまな色相の変化を実現することが可能となる。例えば、
１色の周期が０．６５６ｍｓ、全体で２３．６１６ｍｓの周期とする、言い換えれば４２Ｈｚで駆動することにより、色の周期を赤＿黄＿緑＿空＿青＿紫＿（始）で、１色辺り６段階とすることができる。この実施形態では４２Ｈｚで駆動しているがこれに限られず、４０Ｈｚから６０Ｈｚ程度の周波数で駆動すると、色相の変化がほぼ揺動に対応するので望ましい。
周期、デューティ比は同一で、位相を変化させた場合を示した
【００１７】
なお、
各実施形態の発光装置は、
あらゆる手持ち可能な物品に適用可能である。
これらの物品に適用することにより、物品を保持している者が物品を揺動させることにより、揺動に応じて虹のごとく色相が変化する楽しい物品を提供することが可能となる。
（３ｃ）
　図４は、以下のとおりである（なお、図５は記載されていない。）。
４　引用文献４について
　原査定の拒絶の理由に引用された引用文献４には、次の事項が記載されている。
（４ａ）
「【０００１】
【発明の属する技術分野】
本発明は、
合図灯に関する。
・・・
【０００８】したがって本発明の目的は、使用状態に対応して使い分けが可能であり、かつ携帯性が良好であり、利便性が向上される合図灯を提供することである。
【０００９】
【課題を解決するための手段】本発明は、軸線方向に伸縮自在な棒状体と、棒状体の軸線方向に間隔をあけて設けられる複数の発光体とを含むことを特徴とする合図灯である。」
５　引用文献５について
　原査定の拒絶の理由に引用された引用文献５には、図面とともに次の事項が記載されている。
（５ａ）
「【０００１】
　
本発明は、
フラッシュライト機能及びグロースティック機能を有する照明源に関するものである。
・・・
【０００３】
　照明装置は、単一の装置で多くの用途を果たすことができるように多機能性を有していることが望ましい。従って、２つの用途を果たす照明を実現するために、
フラッシュライトとグロースティックのようなランタンとを組み合わせた多用途照明装置が必要となる。
・・・
【００１６】
　ボタンを押す（１回目のボタン操作）→フラッシュライトＬＥＤ３４がオン
　次に、ボタンを押す（２回目のボタン操作）→フラッシュライトＬＥＤ３４がオフ及びグロースティックＬＥＤ３６がオン
　次に、ボタンを押す（３回目のボタン操作）→グロースティックＬＥＤ３６が非常灯のように点滅
　次に、ボタンを押す（４回目のボタン操作）→グロースティックＬＥＤ３６がオフ
　次に、ボタンを押す（５回目のボタン操作）→フラッシュライトＬＥＤ３４がオン
　以下繰り返し」
６　引用文献６について
　原査定の拒絶の理由に引用された引用文献６には、図面とともに次の事項が記載されている。
（６ａ）
「【０００１】【発明の属する技術分野】
本発明は、明るさを調整できる携帯用のライトに関する。
・・・
【００１０】本発明は、さらにこの欠点を解決することを目的に開発されたものである。本発明の重要な目的は、
発光ダイオードを点滅するデューティー比と周期のいずれかまたは両方を調整することにより、光源の発光輝度を用途に最適な明るさとして、電池を長く使用でき、さらにまた、必要ならば光源の点滅周期を長くすることによって、警告用または識別用としてよく目だつ信号器としても使用できるように設計できる携帯用のライトを提供することにある。
（６ｂ）
「【００２９】輝度周期切換スイッチ５がを０．０２２μＦのコンデンサー１１をオペアンプ１０に接続するとき、
図５の（ｂ）に示すように、パルス幅が１０ｍ秒で周期が３０ｍ秒の矩形波を出力する。
この周期で点滅する発光ダイオード１も、肉眼ではほぼ連続する状態に見える。発光ダイオード１が点滅するデューティー比は約３３％となる
【００３０】輝度周期切換スイッチ５がを２．２μＦのコンデンサー１１をオペアンプ１０に接続するとき、図５の（ｃ）に示すように、パルス幅が５００ｍ秒で周期が１秒の矩形波を出力する。このため、この矩形波がベースに入力される点滅スイッチ３であるトランジスターは、５００ｍ秒間のオン、５００ｍ秒間のオフを繰り返して、発光ダイオード１を点滅させる。この周期で点滅する発光ダイオード１は、周期が長いので肉眼では点滅する状態に見える。
【００３１】人間の目は、発光ダイオード１が点滅する周期が約３０ｍ秒よりも早いと、連続して点灯している状態に見え、これよりも周期が長くなると、点滅する状態として観察される。したがって、発振回路４は、出力する矩形の周期を、この周期よりも短くして、連続して点灯して見えるようにでき、また、この周期よりも長くして発光ダイオード１が点滅するように観測される。
【００３２】
【発明の効果】本発明の携帯用のライトは、発光ダイオードを点滅するデューティー比と周期のいずれかまたは両方を調整して、光源の発光輝度を用途に最適な明るさとし、また、電池を長く使用できる特長がある。それは、本発明の携帯用のライトが、光源として発光色が異なる複数の発光ダイオードを備えると共に、この発光ダイオードをオンオフに切り換える点滅スイッチで点滅し、さらに、発振回路が点滅スイッチをオンオフに切り換えるデューティー比と周期のいずれかまたは両方を輝度周期切換スイッチで切り換えて、発光輝度を最適値に調整するからである。光源に使用している発光ダイオードは応答速度が極めて速いので、目でちらつきが判らない短い周期で点滅して、明るさを自由に調整できる。また、周期を長くすることによって、目にわかるように点滅して、注意をひく表示に使用することもできる。さらに、発光ダイオードは点滅周期にかかわらず、寿命が短くなることがなく、高い発光効率で大幅に明るさを調整できる特長がある。さらにまた、発光ダイオードは、ダイオードのｐｎ接合部分を発光させるものであって、電球のように切れやすいフィラメントがない。このため、電球とは比較にならない程寿命が長く、発光ダイオードを交換することなく、長期間にわたって極めて安定して使用できる特長がある。
【００３３】さらに、
本発明の携帯用のライトは、発光ダイオードの点滅周期を長くして目で点滅を確認できる周期、たとえば、１秒程度の点滅周期と長くすることにより、警告用または識別用の信号器として非常によく目だつようにできる特長もある。
（６ｃ）
　図１〜３、図５は、以下のとおりである。
７　引用文献７について
　原査定の拒絶の理由に引用された引用文献７には、図面とともに次の事項が記載されている。
（７ａ）
「【０００１】
【発明の属する技術分野】
本発明は、光源に発光ダイオードを使用した携帯用のライトに関する。
・・・
【００１０】本発明は、このような欠点を解決することを目的に開発されたものである。本発明の重要な目的は、
大きさが異なる発光ダイオードを整列して間違いなくプリント基板に装着して、簡単かつ容易に、しかも能率よく多量生産できる携帯用のライトを提供することにある。
（７ｂ）
「【００３６】輝度周期切換スイッチ５がを０．０２２μＦのコンデンサー１１をオペアンプ１０に接続するとき、
図１１の（ｂ）に示すように、パルス幅が１０ｍ秒で周期が３０ｍ秒の矩形波を出力する。
この周期で点滅する発光ダイオード１も、肉眼ではほぼ連続する状態に見える。発光ダイオード１が点滅するデューティー比は約３３％となる
【００３７】輝度周期切換スイッチ５がを２．２μＦのコンデンサー１１をオペアンプ１０に接続するとき、図１１の（ｃ）に示すように、パルス幅が５００ｍ秒で周期が１秒の矩形波を出力する。このため、この矩形波がベースに入力される点滅スイッチ３であるトランジスターは、５００ｍ秒間のオン、５００ｍ秒間のオフを繰り返して、発光ダイオード１を点滅させる。この周期で点滅する発光ダイオード１は、周期が長いので肉眼では点滅する状態に見える。
【００３８】人間の目は、発光ダイオード１が点滅する周期が約３０ｍ秒よりも早いと、連続して点灯している状態に見え、これよりも周期が長くなると、点滅する状態として観察される。したがって、発振回路４は、出力する矩形の周期を、この周期よりも短くして、連続して点灯して見えるようにでき、また、この周期よりも長くして発光ダイオード１が点滅するように観測される。」
（７ｃ）
　図１〜３、図８、図１１は、以下のとおりである。
第５　対比・判断
１　本願発明１について
（１）対比
　本願発明１と引用発明とを対比する。
ア
（ア）
　懐中電灯が、把持部を備えていることは、技術常識であることを踏まえると、引用発明の「懐中電灯１１」は、本願発明１の「把持部を兼ねた光源部」に相当する。
（イ）
　引用発明の「半透明の円筒形の管部分２１，２２からなる、入れ子管組立体２０を備え」る「交通整理のために使用することができる、懐中電灯１１に取り付けられた折りたたみ可能な棒状投光器」における「折りたたみ可能な棒状投光器」は、「半透明の円筒形の管部分２１，２２からなる、入れ子管組立体２０」における「前記管部分２１，２２の最も外側の管部分２２」が、「前記懐中電灯１１の投光端部１２に取外すことができるように装着可能」に構成されている。
　このことから、引用発明の「半透明の円筒形の管部分２１，２２からなる、入れ子管組立体２０を備え」る「交通整理のために使用することができる、懐中電灯１１に取り付けられた折りたたみ可能な棒状投光器」における「折りたたみ可能な棒状投光器」は、「懐中電灯１１」に「装着」されたとき、「懐中電灯１１」からの光が連通するように構成されているといえるから、上記（ア）を踏まえると、本願発明１の「前記光源部からの光が連通するように前記光源部に装着される発光部」に相当する。
（ウ）
　引用発明の「半透明の円筒形の管部分２１，２２からなる、入れ子管組立体２０を備え」る「交通整理のために使用することができる、懐中電灯１１に取り付けられた折りたたみ可能な棒状投光器」は、「棒状投光器」に「懐中電灯１１」からの光が連通し（上記（イ））、その光が「棒状投光器」の「半透明の円筒形の管部分２１，２２」から出射することで、「交通整理」における誘導に「使用することができる」といえるから、上記（ア）、（イ）を踏まえると、本願発明１の「把持部を兼ねた光源部と、前記光源部からの光が連通するように前記光源部に装着される発光部とを有してなる誘導灯」に相当する。
イ
（ア）
　引用発明の「懐中電灯１１に取り付けられた折りたたみ可能な棒状投光器」が備えている構成、すなわち、「入れ子管組立体２０」を構成している「複数個の重なり合う、入れ子管組立体２０を伸張したときの分離を阻止するために僅かにテーパがつけられている、半透明の円筒形の管部分２１，２２」、「前記管部分２１，２２の最も外側の管部分２２」、及び、「最も外側の管部分２２」以外の「管部分２１」に関して以下のことがいえる。
ａ
「前記管部分２１，２２の最も外側の管部分２２」と、「最も外側の管部分２２」以外の「管部分２１」とは、いずれも、「テーパがつけられている」「円筒形」であるから、長尺かつ中空の錘台形状を有するといえる。
　このことと、上記ア（ウ）を踏まえると、引用発明の「複数個の重なり合う、入れ子管組立体２０を伸張したときの分離を阻止するために僅かにテーパがつけられている、半透明の円筒形の管部分２１，２２」は、本願発明１の「長尺かつ中空の錘台形状を有する複数の発光管」に相当する。
ｂ
　「テーパがつけられている」ことは、「入れ子管組立体２０を伸張したときの分離を阻止するため」であるから、引用発明の「テーパがつけられている」「円筒形の管部分２１，２２」の「伸張」に係る構成は、その機能・構造に照らして、本願発明１の「前記発光管のテーパー構造によって、複数の前記発光管の上段側発光管と下段側発光管とが相互に入れ子状に」「伸張可能に連結されるように構成され」、「伸張時においては、前記上段側発光管の底部と前記下段側発光管の頂部との嵌合によって連結されることによって、発光部の伸張構造が保持されるようにしてな」る構成に相当する。
ｃ
　一方、「前記入れ子管組立体２０を引っ込めたときに該入れ子管組立体２０を保持するために前記の最も外側の管部分２２に枢着された棒２５を備え」ているから、「入れ子管組立体２０を引っ込めたときに」には、「テーパがつけられている」「円筒形」である、「前記管部分２１，２２の最も外側の管部分２２」の内部に、「テーパがつけられている」「円筒形」である、「最も外側の管部分２２」以外の「管部分２１」が、入れ子状に収容されて、上記「棒２５」により、収縮した状態を維持できるといえる（以下「事項Ａ」ともいう。図２も参照。）。
　上記ｂの相当関係を踏まえると、引用発明の事項Ａは、本願発明１の「発光管のテーパー構造によって、複数の前記発光管の上段側発光管と下段側発光管とが相互に入れ子状に収容されて収縮」する構成に相当する。
ｄ
　また、引用発明において、「複数個の重なり合う、入れ子管組立体２０」の「伸張」が、軸線方向に伸縮自在であることは技術的に明らかであるから（図１、２にもそのように示されている。）、引用発明の上記「伸張」に係る構成は、本願発明１の「発光部が軸線方向に伸縮自在」である構成に相当する。
（イ）
　上記（ア）及びアを踏まえると、引用発明の「懐中電灯１１に取り付けられた折りたたみ可能な棒状投光器」が、「複数個の重なり合う、入れ子管組立体２０を伸張したときの分離を阻止するために僅かにテーパがつけられている、半透明の円筒形の管部分２１，２２からなる、入れ子管組立体２０を備え」、「前記入れ子管組立体２０を引っ込めたときに該入れ子管組立体２０を保持するために前記の最も外側の管部分２２に枢着された棒４６を備えた」構成は、本願発明１の「前記発光部は、長尺かつ中空の錘台形状を有する複数の発光管（上記（ア）ａ）の組み合わせからなり、前記発光管のテーパー構造によって、複数の前記発光管の上段側発光管と下段側発光管とが相互に入れ子状に収容されて収縮し（上記（ア）ｃ）、かつ、伸張可能に連結されるように構成され、伸張時においては、前記上段側発光管の底部と前記下段側発光管の頂部との嵌合によって連結されることによって、発光部の伸張構造が保持される（上記（ア）ｂ）ようにしてなる、発光部が軸線方向に伸縮自在（上記（ア）ｄ）」の構成に相当する。
　以上から、本願発明１と引用発明との一致点及び相違点は、以下のとおりである。
＜一致点＞
「把持部を兼ねた光源部と、前記光源部からの光が連通するように前記光源部に装着される発光部とを有してなる誘導灯であって、
　前記発光部は、長尺かつ中空の錘台形状を有する複数の発光管の組み合わせからなり、前記発光管のテーパー構造によって、複数の前記発光管の上段側発光管と下段側発光管とが相互に入れ子状に収容されて収縮し、かつ、伸張可能に連結されるように構成され、
　伸張時においては、前記上段側発光管の底部と前記下段側発光管の頂部との嵌合によって連結されることによって、発光部の伸張構造が保持されるようにしてなる、
　発光部が軸線方向に伸縮自在の誘導灯。」
＜相違点＞
　本願発明１では、「前記光源部は、パルス状の光照射を行うことができ、その際のパルス周波数が４０〜１００Ｈｚであり、かつ、デューティ比が１５〜６０％である」のに対して、引用発明では、そのように特定されていない点。
（２）判断
　以下、相違点について検討する。
ア
　引用発明は、「交通整理のために使用することができる、懐中電灯１１に取り付けられた折りたたみ可能な棒状投光器」であって、誘導灯ないし合図灯であるといえるから、本願発明１の「誘導灯」と技術分野が共通している。
　ここで、上記相違点に係る本願発明１の構成の技術的意義と本願発明１の課題との関連について検討する。
　上記相違点に係る本願発明１の「前記光源部は、パルス状の光照射を行うことができ、その際のパルス周波数が４０〜１００Ｈｚであり、かつ、デューティ比が１５〜６０％である」という構成の技術的意義は、光源部の発光を当該構成のように制御することにより、「残像効果を生じさせることによって、面的な発光特性を得る」（本願明細書の段落【００４４】）という効果が得られ、「十分な視認性を具備」（同【００１０】）すること、すなわち、「視認性のより良好な残像効果を得る」（同【００４３】、【００４５】）ことを提供するという課題が解決できることにあるといえる。
　一方、引用文献１には、「本発明によれば、棒状投光器は、懐中電灯の電球の端部に取り付けるように設計された入れ子管組立体からなり、」（摘記（１ｃ））及び「電球を装着した懐中電灯」（摘記（１ｄ））という記載等はあるが、「視認性のより良好な残像効果を得る」ということは記載も示唆もされておらず、この「残像効果を得る」ための前提となる、パルス状の光照射を行うことも記載も示唆もされていない。
　そうすると、引用発明と本願発明１は技術分野が共通しているものの、上記のような課題ついて記載も示唆もされていない引用発明において、パルス状の光照射を行うことができる光源部（ＬＥＤ光源など）を採用し、パルス状の光照射における周波数とデューティ比を調整することで、残像現象を得るという技術を適用しようとする動機付けはないといえる。
イ
　引用文献２ないし７に記載された技術事項の適用について、以下に検討する。
（ア）
　摘記（２ｂ）及び図２、図３（摘記（２ｄ）参照）を参照すると、引用文献２には、光源部に関して、「パルス点灯の時間Ｔ１がＯＮ状態、Ｔ２がＯＦＦ状態であり、且つＯＮ状態のＴ１は更にパルスにより点滅を行なっており、残像現象を利用してＴ１は点灯を継続しているように見せ」、「電池の電力消費を小さくしている」技術事項が記載されているといえる。
　しかしながら、当該技術事項の「残像現象」とは、点滅を、点灯を継続しているように見せるためのものであって、本願のように「視認性のより良好な残像効果を得る」すなわち「残像効果を生じさせることによって、面的な発光特性を得る」ものではない。
　また、引用文献２には、周波数は記載されていない。
　したがって、「合図灯」すなわち誘導灯で技術分野が共通していることなどを根拠として、仮に引用発明に引用文献２に記載された技術事項を適用できたとしても、上記相違点に係る本願発明１の構成にはならないし、本願の「視認性のより良好な残像効果を得る」という課題を解決できるものでもない。
（イ）
　摘記（３ｂ）の段落【００１１】、【００１６】及び図４（摘記（３ｃ））等を参照すると、引用文献３には、光源部に関して、「１色の周期が０．６５６ｍｓ、全体で２３．６１６ｍｓの周期とする、言い換えれば４２Ｈｚで駆動することにより、色の周期を赤＿黄＿緑＿空＿青＿紫＿（始）で、１色辺り６段階とすることができ」、「４２Ｈｚで駆動しているがこれに限られず、４０Ｈｚから６０Ｈｚ程度の周波数で駆動する」ことができ、デューティ比が５０％程度（図４から明らかである。）であり、「みかけ上は赤緑青（ＲＧＢ）が連続的に変化していくようにみえ、非常に楽しい発光を得ることができる」技術事項が記載されているといえる。
　この技術事項における「４２Ｈｚ」は、「赤＿黄＿緑＿空＿青＿紫＿」の「色の周期」の周波数であって、「１色の周期」すなわち１つのＬＥＤ（本願発明１の「光源部」に相当するといえる。）の周期ではないから、当該技術事項における光源部はパルス周波数が４０〜１００Ｈｚである構成を備えていない。
　引用発明（誘導灯であり、揺動して使用することが想定されているといえる。また、摘記（１ｂ）を参照すると、「レクリエーション」に使用することも想定されているといえる。）と、引用文献３に記載された技術事項（摘記（３ａ）の段落【０００２】の「コンサートやパレード等のイベントにおいて・・・そのペン形状のライトを発光させて揺動させること」や摘記（３ｂ）の段落【００１７】を参照。）が、揺動して使用するという機能が共通することなどを根拠として、仮に引用発明に引用文献３に記載された技術事項を適用できたとしても、上記のとおり、光源部はパルス周波数が４０〜１００Ｈｚである構成を備えていないから、上記相違点に係る本願発明１の構成にはならない。
（ウ）
　引用文献４ないし引用文献５に記載された技術事項は、摘記（４ａ）及び（５ａ）のとおりであって、引用文献４ないし引用文献５には、上記相違点に係る本願発明１の構成は記載も示唆もされていない。
　したがって、引用発明に引用文献４ないし引用文献５に記載された技術事項を適用してみても、上記相違点に係る本願発明１の構成にはならない。
（エ）
　摘記（６ｂ）の段落【００２９】及び図５（ｂ）（摘記（６ｃ）参照）等、及び、摘記（７ｂ）の段落【００３６】及び図１１（ｂ）（摘記（７ｃ）参照）等を参照すると、引用文献６及び引用文献７には、いずれも、光源部に関して、「パルス幅が１０ｍ秒で周期が３０ｍ秒の矩形波を出力」し、「１０ｍ秒間のオン、２０ｍ秒間のオフを繰り返して、発光ダイオード１を点滅させ」、「この周期で点滅する発光ダイオード１も、肉眼ではほぼ連続する状態に見え」、「発光ダイオード１が点滅するデューティー比は約３３％となる」技術事項が記載されているといえる。
　しかしながら、引用文献６ないし引用文献７に記載された技術事項は、「携帯用のライト」（摘記（６ａ）及び（７ａ）参照）に関するものであって、引用発明（誘導灯）とは技術分野や用途が共通するとはいえず、光源部が把持部を兼ねるものでもなく、引用文献６及び引用文献７には、「視認性のより良好な残像効果を得る」という本願の課題は記載も示唆もされていないから、引用発明の懐中電灯（光源部）に、当該技術事項を適用する動機付けは存在しない。
ウ
　上記ア、イで述べたことを総合すると、引用発明に引用文献２ないし７に記載された技術事項を適用して、上記相違点に係る本願発明１の構成を想到することは、当業者が容易になし得たとはいえない。
エ
　そして、本願発明１は、「残像効果を生じさせることによって、面的な発光特性を得る」（本願明細書の段落【００４４】）という格別に顕著な効果を奏するものである。
（３）本願発明１についてのまとめ
　よって、本願発明１は、引用発明及び引用文献２ないし７に記載された技術事項に基いて、当業者が容易に発明をすることができたものであるとはいえない。
２　本願発明２〜１３について
　本願発明２〜１３は、本願発明１の発明特定事項を全て含み、さらに限定したものであるから、本願発明１と同様に、引用発明及び引用文献２ないし７に記載された技術事項に基いて、当業者が容易に発明をすることができたものであるとはいえない。
第６　原査定について
　令和２年１２月１日付けの手続補正により、本願発明１〜１３は、上記相違点に係る本願発明１の構成を有するものとなっており、上記第５で述べたとおり、拒絶査定において引用された引用発明及び引用文献２ないし７に記載された技術事項に基いて、当業者が容易に発明をすることができたものであるとはいえない。
第７　むすび
　以上のとおり、原査定の理由によっては、本願を拒絶すべきものとすることはできない。
　また、他に本願を拒絶すべき理由を発見しない。
　よって、結論のとおり審決する。